(57)【要約】【課題】本発明は、水又はその他あらゆる適当な液体の灌水を備える真空式マッサージ装置を提供することを目的とする。本発明による装置は、供給される加圧流体の取り入れと回転ローラ３、４、５、６、７、８上のタンク１７内にある活性物の吸引および取り入れとを行うための接合部９、１０、１１を通して上部構造体１に接続された交換可能マッサージヘッド２を備える。前記加圧流体をタンク１７に送ることができることから、活性液体をローラに加圧噴射することが可能になる。この流体は、マッサージヘッド２外周に開口するチャネル２２、２３を通して吸引室２１内に分配される。本発明において、患者は、真空吸引されずに残った液体を排出するために用いるチャネルを備えた特殊マットレス３１上に横たわる。本発明は、医院または医療補助施設、湯治センター、海水温療法施設、病院において主に用いる装置や付属品の製造と普及に関わる産業および商業分野に関する。
2005518870.tif 000002
【特許請求の範囲】
【請求項１】
水又はその他あらゆる適当な液体の灌水を備える真空式マッサージ装置であって、
この装置が、吸引室２１を備え灌水下で機能するよう開発されたマッサージヘッド２を備え、このマッサージヘッドが、ローラ３、４、５、６、７、８の加圧流体の取り入れ、吸引、活性生成物の取り入れをそれぞれ確保する３つの接合部９、１０、１１を介して上部構造体１に接続されていることを特徴とする装置。
【請求項２】
請求項１に記載の装置であって、
マッサージヘッド２が、このマッサージヘッドのあらゆる方向への移動を可能にする円筒形状または卵型形状の回転ローラ３、４、５、６、７、８を備え、前記ローラが、２つの平行軸１２、１３上に設けられ吸引室２１の気密性を確保するよう弾性継手１８、１９上にそれぞれ横方向に接することを特徴とする装置。
【請求項３】
請求項１に記載の装置であって、
マッサージヘッド２が、このマッサージヘッドの移動を可能ならしめる滑らかな、または溝付のころを備えることを特徴とする装置。
【請求項４】
請求項１に記載の装置であって、
吸引室２１が、一定の出入口を形成しマッサージヘッドを皮膚上での移動を可能ならしめるよう「テフロン」等の滑りやすい材料で形成された下端部を備えることを特徴とする装置。
【請求項５】
請求項２または３のいずれか１つの項に記載の装置であって、
この装置が、減圧により密着されるマッサージヘッド２を移動させるために要する労力を減らして、中心部を均質化し機械的遊び部での漏れによる流量／圧力の変動を調整することのできる液性リングを吸引室の周りに形成するよう、吸引室２１の周囲に加圧流体を注入する小チャネル２２と、マッサージヘッドのあらゆる動きに対応するローラ３、４、５、６、７、８とを備えることを特徴とする装置。
【請求項６】
前記請求項のいずれか１つの項に記載の装置であって、
上部構造体１とマッサージヘッド２とが単ブロック体であることを特徴とする装置。
【請求項７】
請求項１〜５のいずれか１つの項に記載の装置であって、
マッサージヘッド２が、上部構造体１について簡単な押し出し操作で交換可能であり、これにより異なる直径の他のマッサージヘッドと取り替えることが可能であることを特徴とする装置。
【請求項８】
前記請求項のいずれか１つの項に記載の装置であって、
この装置が、減圧と水かけにより形成される皮膚のしわに接するまで減圧室２１内に加圧流体の一部を供給するチャネル２３を備えることを特徴とする装置。
【請求項９】
前記請求項のいずれか１つの項に記載の装置であって、
活性塩の分配装置３０が、加圧流体の取り入れ管２０内に直列挿入されていることを特徴とする装置。
【請求項１０】
前記請求項のいずれか１つの項に記載の装置であって、
患者を受け入れてはねを防ぐための４つの高い側壁をもつとともに下水に接続された水出口３２をそれらの端部の１つに備えるエアマットレス３１にこの装置が連結されていることを特徴とする装置。
【請求項１１】
前記請求項のいずれか１つの項に記載の装置であって、
上部構造体１が、活性流体を内包する一体化貯蔵タンク管１７、２６を備えることを特徴とする装置。
【請求項１２】
請求項２または３および１１に記載の装置であって、
噴霧接合部１１に接続される溝２５と貯蔵タンク１７のチャネルにより、活性流体がローラ３、４、５、６、７、８、すなわちころ上で吸引室２１内部まで達することを特徴とする装置。
【請求項１３】
請求項１１および１２のいずれか１つの項に記載の装置であって、
貯蔵タンク管１７、２６内に加圧流体を送ることを可能ならしめこれにより貯蔵タンク１７内に内包される活性流体の加圧注入を行う上部構造体１のチャネル２４を通して、このタンク内にある加圧流体を運ぶチャネルの開閉が、加圧流体の取り入れ部を上部構造体１に接続する連結部１４のねじ切り部の長さで行われ、これによりこのチャネルの閉止または開放を行うことができることを特徴とする装置。
【請求項１４】
前記請求項のいずれか１つの項に記載の装置であって、
加圧流体が、加圧流体取り入れ部を上部構造体１に接続する連結部１４に連結された可撓管２０を通して運ばれる高温水であることを特徴とする装置。
【請求項１５】
前記請求項のいずれか１つの項に記載の装置であって、
液体内に浸されたマッサージヘッド２と連動させるため、吸引室２１が、空気と水の混合物を得るよう、引き出された状態のプラグ１６を通常備える大気圧開放ダクトを備えることを特徴とする装置。
【請求項１６】
請求項１５に記載の装置であって、
プラグ１６を、さらに空気量の多い混合物を得てこれによりさらに柔軟な吸引を行うよう吸引室２１に空気を送り込む空気圧縮機と接続された可撓管と置き換えることが可能であることを特徴とする装置。
【発明の詳細な説明】
【技術分野】
【０００１】
本発明は、水内又はその他あらゆる適当な液体の灌水を備える真空式マッサージ装置を提供することを目的とする。
【０００２】
本発明は、マッサージを行う医院または医療補助施設、湯治センター、海水温療法施設、医療サービス施設の設備を主な対象とする装置や付属品の製造と普及を行う産業および商業分野に関する。
【背景技術】
【０００３】
アラビア語の触診を意味する「マス」という用語を起源とするマッサージは、当初、筋肉を柔軟にするため、手で体のさまざまな部分を押す、揉むといった行為で成り立っていた。
【０００４】
現在、マッサージは次第に器具の助けを借りて行われることが多くなっており、形成美容または整形、外傷学、リューマチ学、静脈学、スポーツ運動療法、傷跡ややけど跡の処置、血液循環障害、リンパ排膿、組織硬化といった数多くの分野でマッサージが実施されている。
【発明の開示】
【発明が解決しようとする課題】
【０００５】
実行される処置に応じてさまざまなタイプのマッサージがある。本発明による装置に関する形態は、水面下および灌水下における「接触回転式マッサージ」である。この形態は例えば、皮膚疾患部、蜂巣炎部、皮膚病巣の処置を行う際に特に利用されるものであり、マッサージ師が皮膚にしわを生じさせるような局所的な挟み込みだけでなく、挟み込まれた部分の段階的移動や液状環境下での移動を行う際に患者に対して連続的な処置を行う場合にも実行される。
【課題を解決するための手段】
【０００６】
「接触回転式マッサージ」は、実際には、皮膚上を移動させるようにして使用され、患者の体に当てる際に皮膚表面部に減圧を発生させることの可能な空気吸引システムに可撓管を通して連結された可動ヘッドを備える装置の助けを得て実行される。
【０００７】
ヘッド部としては平行円筒状で回転移動式の、さらに必要に応じて平行移動可能なローラをもつものや、周囲に玉を設けたヘッド、スリット付ヘッド、さらには折り目をつけないヘッドカバーといったものがある。
【０００８】
こういった吸引ヘッドや装置は一定密度の空気中で作動する。機械的遊びによる漏洩量は一定であり、吸引の変動はない。装置やヘッドの中には完全に水中に浸して作動させるようにしたものがあり、この場合でも「内部」は一定で制御可能となる。
【０００９】
灌水下でのマッサージは湯治センターや海水温療法センターといったところで主に実施されている。患者はテーブル上で横になり、固定式または可動式シャワーヘッドで患者に水をかける（ビシー・シャワー）。手によるマッサージも同時に行うこともあり、この場合、マッサージ師は水着を着ているが大量の水を浴びる。
【００１０】
本発明による装置は、灌水下における接触回転式マッサージを実現することを目的としており、患者は特に本装置用に作製されたエアマット上で横になる。このマットの４つの側壁は、マッサージ師にあらゆるはねがかかるのを防ぐよう高くしてある。このマットは傾斜するマッサージ用テーブル上に設置され、全て下水に接続された排水管により、吸引することなく液体を流出させることができる。ポンプで吸引された液体も下水に合流させる。
【発明を実施するための最良の形態】
【００１１】
交換可能なマッサージヘッド２を設けた上部構造体１をもつ本装置は、可撓管２０を通して送られる加圧流体の取り入れで水かけを行うと同時に接触回転式機械マッサージを行うものであり、湯や海水といった好みの温度の流体による水マッサージ機を２つの平行軸１２、１３上に設けた複数のローラ３、４、５、６、７、８によりあらゆる方向に移動するマッサージヘッド２内に設けられている。水マッサージ機の圧力により、灌水下のマッサージヘッドの手動による移動がさらに容易になる。
【００１２】
気密性は各ローラ組に対して平行な円環状ジョイント１８、１９により確保される。
上部構造体１上に設けられたノブ型タンク１７、２６は、交換可能な噴霧器１１を通してローラ３、４、５、６、７、８の高さまで適当な活性流体を分配し、真空度が上がるとすぐに吸引により流体を取り入れる。水かけ用流体は、コネクタ１４のねじ部の長さに応じて、活性流体を加圧下のタンクおよび噴霧器の位置まで届かせても、届かせなくてもよい。
【００１３】
上部構造体１は、３つの別個の部材９、１０、１１を通して可動ヘッド２上で固定、センタリングされるが、これらの部材は以下に示す機能をもつ：
-加圧シャワー流体の取り入れ部
-真空チャネル
-活性流体の取り入れ部。
【００１４】
上部構造体１はそのままで、患者に接する可動ヘッド２の清掃を行う、またはさらに小さな、または大きな同様のヘッドと交換することができるよう、これら２つの部材はいつでも容易に取り外すことができる。
【００１５】
本発明およびシャワー、活性流体、減圧といったものを組み合わせることにより、灌水下「接触回転式」と呼ばれるマッサージにおいて、ミネラル交換、組織柔軟化、充血による血管拡張、活性流体効果といった効力がさらに大きくなる。
【実施例】
【００１６】
本発明の実施例の１つによれば、本装置は、マッサージヘッド２と上部構造体１とを３つの接合部９、１０、１１を通して接続し、これらの接合部により加圧流体の取り入れ、吸引、回転ローラ３、４、５、６、７、８上への活性物の取り入れをそれぞれ行い、これらの回転ローラは、マッサージヘッドのあらゆる方向への移動を可能ならしめるよう円筒形または卵型形状となっていることを特徴とする。１つの応用例として、これらのローラを滑らかな、または溝付のローラや、吸引室下端部を構成する滑りやすい材料（テフロン）で形成された一定の出入口下端部と置き換えることも可能である。これらのローラは、２つの平行軸１２、１３上に設けられ吸引室の気密性を部分的に確保するよう弾性継手１８、１９にそれぞれ横方向に接する。マッサージヘッド２は、上部構造体１について簡単な押し出し操作で交換可能であり、これにより他のマッサージヘッドと取り替えることが可能である。１つの応用例では、単ブロック体（１および２が合体）であってもよい。加圧流体は、一般に海水または上水の高温水であり、上水の場合、上部構造体１に（１４において）接続された流体取り入れ管２０内に活性塩（図４）の分配装置３０が直列挿入される。加圧流体は、ヘッドのあらゆる動きに応じて、下部ヘッド２内で接合部９を通して取り入れられ、通過させる、あるいは小チャネル２２、２３を通して吸引室２１内と同様に吸引室２１とローラ３、４、５、６、７、８との周りで拡散する。
【００１７】
この（近くの皮膚に当たる）加圧流体でヘッド上にかかる垂直圧力により、減圧により密着されるマッサージヘッドを移動させるための労力が減る。
灌水下の加圧流体により吸引ヘッドの周りに液性リングを発生させ、これにより内部を均質化し、機械的遊びでの漏洩による流量／圧力の変動を調整する。こういった漏洩やヘッドの移動により、コネクタ１５でポンプに接続された吸引室２１内に吸引された空気と流体とが通過する。この吸引された流体が通過する際に皮膚の表面をマッサージするとともに、吸引された空気については、吸引に大きな柔軟性が得られる。
【００１８】
本装置は、上部構造体１の一部を構成し活性液体を内包するノブ型タンク１７、２６を備える。噴霧接合部１１に接続される溝２５と貯蔵タンクのチャネルにより、この活性流体がローラ３、４、５、６、７、８、すなわちころ上で吸引室内部まで達する。
【００１９】
タンク１７内に加圧流体を運ぶことができ、これによりタンク内に内包される活性液体の加圧噴射を行う。タンク１７内にある加圧流体を運ぶチャネル２４の開閉が、連結部１４のねじ切り部の長さで行われ、これによりチャネルの閉止または開放を行うことができる。
【００２０】
このマッサージヘッドは、下水にこの流体を流すパイプと接続された排水口３２を通して流体を受けるエアマット３１を用い、灌水下において作動する（図５）。
しかし市場に余り出回っていない灌水式テーブルを用いることもできる。本発明によるヘッドは液体内に浸した状態でも同様に作動するが、この場合、１００％までの水の吸引の柔軟性はなく、吸引が激しくなり患者に害をもたらす可能性がある。これを是正するため、この場合にはタンク１７を空の状態にしておき、引き出された状態のプラグ１６を通常備える大気圧開放ダクトを通して吸引室２１を大気圧下におき、これにより空気と水の混合物が得られるようにする。噴霧接合部１１の口径を変化させることにより吸引量を変動させることもできる。実施応用例の１つにおいて、このプラグ１６を、さらに空気量の多い混合物を得てこれによりさらに柔軟な吸引を行うよう吸引室２１に空気を送り込む空気圧縮機と接続された可撓管と置き換える。
【図面の簡単な説明】
【００２１】
添付の図面において、本発明の目的の実施形態の１つを例示するが、この形態に限定されるものではない。
【図１】本発明による装置全体の断面図を示す。
【図２】マッサージヘッドとローラ、さらに水かけを可能にするためのチャネルを示す。
【図３】図２の矢印Ａにおけるマッサージヘッド部の縦断面図を示す。
【図４】液体取り入れ管内に組み込んだ活性塩の分配装置を示す。
【図５】はね防止マットの斜視図を示す。
【符号の説明】
【００２２】
１    上部構造体
２    マッサージヘッド
ローラ
９，１０，１１    接合部
２１    吸引室
【図１】
2005518870.tif 000003
【図２】
2005518870.tif 000004
【図３】
2005518870.tif 000005
【図４】
2005518870.tif 000006
【図５】
2005518870.tif 000007
【国際調査報告】
2005518870.tif 000008
2005518870.tif 000009
2005518870.tif 000010
2005518870.tif 000011
2005518870.tif 000012
2005518870.tif 000013